(57)【要約】【課題】顧客の用途に応じた好適な証明写真を出力する証明写真撮影装置を提供する。【解決手段】写真撮影装置１は、プリンタ部７０からプリント出力を行なう際に、操作部６０から写真の用途に関する入力を受け付け、予めＲＯＭ１３０に格納された例えばパスポートなどの用途毎のプリント規格に基づいた調整を行なう。また、写真撮影装置１は、プリント出力を行なう際に、操作部６０から顧客の年齢に関する入力を受け付け、予めＲＯＭ１３０に格納された年齢毎のプリント規格に基づいた調整を行なう。更に写真撮影装置１は、調整された画像をプリント選択可能に複数表示する。【選択図】図２
2006301199.tif 000002
【特許請求の範囲】
【請求項１】
顧客による操作指示に従って顧客の顔を含む画像を撮影する撮影手段と、この撮影手段により取得された撮影画像に基づいて写真を生成する写真撮影装置において、
写真の用途に関する用途情報を入力する入力手段と、
前記写真の用途情報に対応する写真生成条件が予め記憶された記憶手段と、
前記入力手段から入力された写真の用途情報に対応する写真生成条件を前記記憶手段から読み出し、その読み出した写真生成条件に基づいて前記撮像画像を調整する画像調整手段と、
を備えたことを特徴とする写真撮影装置。
【請求項２】
顧客による操作指示に従って顧客の顔を含む画像を撮影する撮影手段と、この撮影手段により取得された撮影画像に基づいて写真を生成する写真撮影装置において、
顧客の年齢に関する年齢情報を入力する年齢入力手段と、
前記顧客の年齢情報に対応する写真生成条件が予め記憶された記憶手段と、
前記年齢入力手段から入力された顧客の年齢情報に対応する写真生成条件を前記記憶手段から読み出し、その読み出した写真生成条件に基づいて前記撮像画像を調整する画像調整手段と、
を備えたことを特徴とする写真撮影装置。
【請求項３】
顧客による操作指示に従って顧客の顔を含む画像を撮影する撮影手段と、この撮影手段により取得された撮影画像に基づいて写真を生成する写真撮影装置において、
写真の用途に関する用途情報を入力する入力手段と、
前記顧客の年齢に関する年齢情報を入力する年齢入力手段と、
前記写真の用途情報と顧客の年齢情報とに対応する写真生成条件が予め記憶された記憶手段と、
前記入力手段から入力された写真の用途情報と前記年齢入力手段から入力された顧客の年齢情報とに対応する写真生成条件を前記記憶手段から読み出し、その読み出した写真生成条件に基づいて前記撮像画像を調整する画像調整手段と、
を備えたことを特徴とする写真撮影装置。
【請求項４】
顧客による操作指示に従って顧客の顔を含む画像を撮影する撮影手段と、この撮影手段により取得された撮影画像に基づいて写真を生成する写真撮影装置において、
生成する写真の条件である写真生成条件が予め複数記憶された記憶手段と、
前記いずれか一の写真生成条件を前記記憶手段から読み出し、その読み出した写真生成条件を前記撮像画像が満たすか否かを判定する判定手段と、
前記判定手段により満たすと判定された写真生成条件に基づいた範囲で調整された複数の撮影画像を表示する表示手段と、
前記表示手段により表示された複数の撮影画像から写真を生成する撮影画像を選択する選択手段と、
を備えたことを特徴とする写真撮影装置。
【請求項５】
前記入力手段による前記写真の用途情報は、前記撮影手段の撮影動作前又は撮影動作後に入力可能としたことを特徴とする請求項１に記載の写真撮影装置。
【請求項６】
前記年齢入力手段による前記顧客の年齢情報は、前記撮影手段の撮影動作前又は撮影動作後に入力可能としたことを特徴とする請求項２に記載の写真撮影装置。
【請求項７】
少なくとも年齢を含む顧客の身元に関する情報が記録されたＩＤメディアから当該身元に関する情報を読み取る読取手段を更に備え、
前記年齢入力手段は、前記読取手段の読み取り結果であることを特徴とする請求項２、３、又は６のいずれか一項に記載の写真撮影装置。
【請求項８】
外部機器との間で少なくとも年齢を含む顧客の身元に関するデータ通信を行なう通信手段を更に有し、
前記年齢入力手段は、前記通信手段によるデータ通信の結果であることを特徴とする請求項２、３、又は６のいずれか一項に記載の写真撮影装置。
【請求項９】
前記写真生成条件は、写真のプリント領域における前記顧客の顔の配置位置及び／又は大きさに関する条件であることを特徴とする請求項１〜８のいずれか一項に記載の写真撮影装置。
【請求項１０】
前記画像調整手段により前記写真生成条件に基づいた範囲で調整された複数の撮影画像を表示する表示手段と、
前記表示手段により表示された複数の撮影画像から写真を生成する撮影画像を選択する選択手段と、
を更に備えたことを特徴とする請求項１〜３、又は５〜９のいずれか一項に記載の写真撮影装置。
【請求項１１】
前記判定の結果、前記予め複数記憶された写真生成条件のいずれも満たさない場合に再精算を行なう再精算手段を更に備えたことを特徴とする請求項４に記載の写真撮影装置。
【発明の詳細な説明】
【技術分野】
【０００１】
本発明は、顧客による操作指示に従って顧客の顔を含む画像を撮影する撮影手段と、この撮影手段により取得された撮影画像に基づいて写真を生成する写真撮影装置に関する。
【背景技術】
【０００２】
従来から、免許証やパスポート、履歴書等に貼付するような証明写真を撮影するためのボックス型の証明写真撮影装置が普及しており、街頭や店頭に配置されている。このような証明写真撮影装置では、撮影ボックス内に顧客が入り、ガイドに従って顧客自ら撮影操作を行なうことにより、簡単かつ短時間でプリント写真を得ることができる。
また、ハードコピーに限らず、撮影した画像を電子ファイルとし、それを通信手段を用いて遠隔地に伝送する写真撮影装置も実用化されている。
さらに、特許文献１には、身分証などの証明写真の撮影に際して署名及び指紋、住所、生年月日、血液型等の撮影対象の人物情報に関する入力を受け付けて、撮影された画像とその人物情報をＩＤカードなどに印刷した身分証明文書を発行する技術が記載されている。
【特許文献１】特表２００３−５３３９４８号公報
【発明の開示】
【発明が解決しようとする課題】
【０００３】
しかしながら、特許文献１に記載の証明写真撮影装置においては、入力された情報は身分証明文書に印字するだけであり、パスポート、免許証、履歴書などの顧客の用途に応じたより好適な写真を作成することに寄与するものではなかった。そこで、より顧客のニーズに応える証明写真装置の開発が望まれていた。
【０００４】
本発明の課題は、顧客の用途に応じた好適な証明写真を出力する写真撮影装置を提供することにある。
【課題を解決するための手段】
【０００５】
上記課題を解決するために、請求項１に記載の発明は、顧客による操作指示に従って顧客の顔を含む画像を撮影する撮影手段と、この撮影手段により取得された撮影画像に基づいて写真を生成する写真撮影装置において、写真の用途に関する用途情報を入力する入力手段と、前記写真の用途情報に対応する写真生成条件が予め記憶された記憶手段と、前記入力手段から入力された写真の用途情報に対応する写真生成条件を前記記憶手段から読み出し、その読み出した写真生成条件に基づいて前記撮像画像を調整する画像調整手段と、を備えたことを特徴とする。
【０００６】
請求項２に記載の発明は、顧客による操作指示に従って顧客の顔を含む画像を撮影する撮影手段と、この撮影手段により取得された撮影画像に基づいて写真を生成する写真撮影装置において、顧客の年齢に関する年齢情報を入力する年齢入力手段と、前記顧客の年齢情報に対応する写真生成条件が予め記憶された記憶手段と、前記年齢入力手段から入力された顧客の年齢情報に対応する写真生成条件を前記記憶手段から読み出し、その読み出した写真生成条件に基づいて前記撮像画像を調整する画像調整手段と、を備えたことを特徴とする。
【０００７】
請求項３に記載の発明は、顧客による操作指示に従って顧客の顔を含む画像を撮影する撮影手段と、この撮影手段により取得された撮影画像に基づいて写真を生成する写真撮影装置において、写真の用途に関する用途情報を入力する入力手段と、前記顧客の年齢に関
する年齢情報を入力する年齢入力手段と、前記写真の用途情報と顧客の年齢情報とに対応する写真生成条件が予め記憶された記憶手段と、前記入力手段から入力された写真の用途情報と前記年齢入力手段から入力された顧客の年齢情報とに対応する写真生成条件を前記記憶手段から読み出し、その読み出した写真生成条件に基づいて前記撮像画像を調整する画像調整手段と、を備えたことを特徴とする。
【０００８】
請求項４に記載の発明は、顧客による操作指示に従って顧客の顔を含む画像を撮影する撮影手段と、この撮影手段により取得された撮影画像に基づいて写真を生成する写真撮影装置において、生成する写真の条件である写真生成条件が予め複数記憶された記憶手段と、前記いずれか一の写真生成条件を前記記憶手段から読み出し、その読み出した写真生成条件を前記撮像画像が満たすか否かを判定する判定手段と、前記判定手段により満たすと判定された写真生成条件に基づいた範囲で調整された複数の撮影画像を表示する表示手段と、前記表示手段により表示された複数の撮影画像から写真を生成する撮影画像を選択する選択手段と、を備えたことを特徴とする。
【０００９】
請求項５に記載の発明は、請求項１に記載の発明において、前記入力手段による前記写真の用途情報は、前記撮影手段の撮影動作前又は撮影動作後に入力可能としたことを特徴とする。
【００１０】
請求項６に記載の発明は、請求項２に記載の発明において、前記年齢入力手段による前記顧客の年齢情報は、前記撮影手段の撮影動作前又は撮影動作後に入力可能としたことを特徴とする。
【００１１】
請求項７に記載の発明は、請求項２、３、又は６のいずれか一項に記載の発明において、少なくとも年齢を含む顧客の身元に関する情報が記録されたＩＤメディアから当該身元に関する情報を読み取る読取手段を更に備え、前記年齢入力手段は、前記読取手段の読み取り結果であることを特徴とする。
【００１２】
請求項８に記載の発明は、請求項２、３、又は６のいずれか一項に記載の発明において、外部機器との間で少なくとも年齢を含む顧客の身元に関するデータ通信を行なう通信手段を更に有し、前記年齢入力手段は、前記通信手段によるデータ通信の結果であることを特徴とする。
【００１３】
請求項９に記載の発明は、請求項１〜８のいずれか一項に記載の発明において、前記写真生成条件は、写真のプリント領域における前記顔画像の配置位置及び／又は大きさに関する条件であることを特徴とする。
【００１４】
請求項１０に記載の発明は、請求項１〜３、又は５〜９のいずれか一項に記載の発明において、前記画像調整手段により前記写真生成条件に基づいた範囲で調整された複数の撮影画像を表示する表示手段と、前記表示手段により表示された複数の撮影画像から写真を生成する撮影画像を選択する選択手段と、を更に備えたことを特徴とする。
【００１５】
請求項１１に記載の発明は、請求項４に記載の発明において、前記判定の結果、前記予め複数記憶された写真生成条件のいずれも満たさない場合に再精算を行なう再精算手段を更に備えたことを特徴とする。
【発明の効果】
【００１６】
請求項１に記載の発明によれば、顧客は入力した写真の用途に応じた好適な写真を得ることが可能となる。
【００１７】
請求項２に記載の発明によれば、顧客は入力した顧客の年齢に応じた好適な写真を得ることが可能となる。
【００１８】
請求項３に記載の発明によれば、顧客は入力した写真の用途と年齢とに応じた好適な写真を得ることが可能となる。
【００１９】
請求項４に記載の発明によれば、顧客はプリント出力の条件に適合する複数の写真から所望の写真を選択して得ることが可能となる。
【００２０】
請求項５、６に記載の発明によれば、写真の用途／顧客の年齢の入力は撮影動作の前／後のいずれで行なう構成であっても良い。
【００２１】
請求項７に記載の発明によれば、顧客の年齢を身分証など公的に証明された情報から確実に得ることが可能となる。また、顧客による入力操作の手間を省くことが可能となる。
【００２２】
請求項８に記載の発明によれば、顧客による入力操作の手間を省くことが可能となる。
【００２３】
請求項９に記載の発明によれば、写真のプリント領域における顧客の顔の配置位置及び／又は大きさに関する条件に基づいて調整や判定を行なうことができる。
【００２４】
請求項１０に記載の発明によれば、顧客は入力した写真の用途／年齢の条件に適合する複数の写真から所望の写真を選択して得ることが可能となる。
【００２５】
請求項１１に記載の発明によれば、顧客は条件を満たさない写真のプリントによる無駄な出費を避けることが可能となる。
【発明を実施するための最良の形態】
【００２６】
以下、図を参照して本発明の実施の形態を詳細に説明する。
先ず、本発明の構成を図１〜図３を参照して説明する。図１は、写真撮影装置１の構成の概略を示す図であり、図２は、写真撮影装置１の内部構成を模式的に示す図であり、図３は、予め格納される証明写真の規格に関して例示する図である。
【００２７】
写真撮影装置１は、図１に示すように、ボックス型に形成されており、その外壁にはプリントされた写真を取り出す取出口７１が設置されており、ボックス内部（以下、撮影室Ｒという）には、被撮影者としての顧客Ｍが座れるように椅子Ｃが回転可能に設置されている。なお、椅子Ｃは回転により昇降可能に構成されている。また、顧客Ｍの上方、正面、背面にはそれぞれ照明用のストロボ２０ａが設置されており、更に顧客Ｍの正面には、操作手順やその他撮影に関する操作画面、撮影画像等を表示する表示部４０、入室センサＳ、撮影料金を精算するためのコインメック５０が設置されている。
【００２８】
写真撮影装置１は、図２に示すように、本体部１０、ストロボユニット２０、デジタルカメラ３０、表示部４０、コインメック５０、操作部６０、プリンタ部７０、通信部８０、及び入室センサＳを備えて構成されている。
【００２９】
本体部１０は、制御部１１０、Ｉ／Ｏユニット１２０、ＲＯＭ１３０、ＲＡＭ１４０、１５０、Ｉ／Ｆ１６０から構成されており、Ｉ／Ｏユニット１２０を介してストロボユニット２０、コインメック５０、スピーカ５５、操作部６０、に接続されるとともに、Ｉ／Ｆ１６０を介してプリンタ部７０に接続されている。また、制御部１１０、ＲＯＭ１３０、ＲＡＭ１４０、ＤＶＤ１５０の協働により制御手段が実現される。
【００３０】
制御部１１０は、ＲＯＭ１３０に記憶されているシステムプログラムや各種データ、本発明に係る撮影プリント処理プログラム等のプログラムやデータを読み出してＲＡＭ１４０に展開し、当該プログラムに従って各部の動作を集中制御する。また、制御部１１０は、画像処理プログラムとの協働により、撮影画像に対し、階調変換処理、鮮鋭性強調処理、トリミング、サイズ調整等の各種画像処理を施す画像処理機能を有している。
【００３１】
制御部１１０が撮影プリント処理プログラムを実行して行なう撮影プリント処理は、操作画面及びアナウンス音声のデータをＤＶＤ１５０から読み出して順次操作画面を表示部４０に表示させるとともに、表示中の操作画面に応じたアナウンス音声をスピーカ５５から出力させる。また、操作画面においてプリント条件が選択操作されると、当該選択されたプリント条件の情報をＲＡＭ１４０に一時記憶させて設定する。
【００３２】
プリント条件の設定の後、当該条件に応じた金額を表示部４０に表示することでコインメック５０に投入される貨幣による精算処理を行ない、通常の写真処理である顧客を撮影する処理により顧客の顔画像を取得して、プリント条件に応じたトリミングや合成処理の後のプリント候補画像を表示部４０に表示する。そして、操作部６０から入力される支持により、選択された画像に対してプリント出力用の画像処理を施してプリントデータを生成し、プリンタ部７０に出力する。
【００３３】
通常の写真処理では、撮影指示の操作がなされた場合、ストロボユニット２０及びデジタルカメラ３０を制御して顧客が撮影されると、撮影回毎に撮影画像の画像データが生成され、ＲＡＭ１４０内に画像データが一時的に記憶される。そして撮影画像に対して撮影回毎に表示部４０に表示される撮影結果表示用にサイズ調整及びトリミング等の所定の画像処理が施され、その処理画像（結果表示画像）が生成されるとともに、撮影画像に対して画像処理を施し、顔の認識や体の輪郭を検出し、予め設定された判断基準に適合するか否かの判定処理として、目つぶり、顔の曲がり、顔の向き、肩の曲がり、背景に対する顔の大きさ、背景の影の有無等の撮影画像に対する各種判定処理を行ない、その判定結果に基づく判定結果情報としての注意情報をメッセージとして結果表示画像と共に表示部４０に表示させる。
【００３４】
通常の写真処理における判定処理としては、特開平８−６３５９７号公報記載の顔抽出法や公知の顔及び輪郭認識処理等を用いることができ、目つぶりの判定、目の位置と水平線とが平行であるか否かによる顔の曲がりの判定、顔の輪郭と目の位置との関係に基づく顔の向きの判定、体の輪郭を左右比較することによる肩の曲がりの判定、背景に対する顔の大きさとの比較による顔の大きさの判定、体の輪郭を検出することによる背景の陰の有無の判定等を行なう。
【００３５】
また、メッセージとしては、「Ｏ．Ｋ．」、「目は閉じていませんか？」、「顔は曲がっていませんか？」、「正面を向いていますか？」、「カメラに近づきすぎて、顔が大きくなっていませんか？」、「フードのついた服で背景に影が出ていませんか？」等の、顧客に対して撮影時の問題箇所に対する注意喚起を促す内容のメッセージであることが好ましい。なお、メッセージ内容を音声出力させても良い。
【００３６】
Ｉ／Ｏユニット１２０は、本体部１０と、ストロボユニット２０、スピーカ５５、操作部６０との間で情報のやり取りを仲介するインターフェイスであり、制御部１１０からの制御信号をストロボユニット２０、コインメック５０に送信するとともに操作部６０からの操作信号を制御部１１０に送信する。
【００３７】
ＲＯＭ１３０は、システムプログラムの他、プリント処理プログラム、撮影処理プログラム等の各種制御プログラム、撮影プリント処理プログラム、撮影処理プログラム及び各
プログラムで処理されたデータ、写真生成条件としての証明写真の種類や顧客の年齢に応じたプリント規格に関するデータ等を記憶する。
【００３８】
証明写真のプリント規格に関するデータは、用途毎の写真種や顧客の年齢毎のルックアップテーブルとして格納される。各テーブルには、頭頂や顎が印字範囲からはみ出るなどの禁則に関するデータの他に、図３に示すように、プリント出力する証明写真である写真Ｐの大きさを示す全幅Ａ、全長Ｂ、鼻梁などで規定される顔の横方向に関する中心位置を示す位置ＡＡの許容範囲、両目により規定される顔の垂直位置を示す長さＢＢの許容範囲、左右の耳の間などで規定される顔幅である長さＣＣの許容範囲、又は頭頂から顎により規定される顔の縦の長さである長さＤＤの許容範囲などが格納される。なお、全幅Ａ、全長Ｂなどのデータではプリント印刷する印字領域などの大きさや画像のピクセル数などがあり、位置ＡＡ〜長さＤＤなどのデータでは実際の大きさやピクセル数以外に全幅Ａ又は全長Ｂに対する割合などがある。この証明写真のプリント規格に関するデータにより、証明写真の印字領域における顔画像の割合や位置などの条件を指定することが可能となる。
【００３９】
ＲＡＭ１４０は、制御部１１０によって実行される各種プログラム及びこれらプログラムに係るデータを一時的に記憶するワークエリアを形成する。また、ＲＡＭ１４０は、デジタルカメラ３０により撮影された撮影画像の画像データを一時的に記憶するエリアを有する。
【００４０】
ＤＶＤ１５０は、デジタルカメラ３０により撮影された撮影画像（原画像）の画像データを記憶するとともに、制御部１１０により各種画像処理が施された処理画像の画像データを記憶する。また、料金案内、プリント条件の設定等の各種操作画面の画像データを記憶するとともに、各種操作画面におけるガイドアナウンス音声の音データを記憶している。
【００４１】
Ｉ／Ｆ１６０は、本体部１０と、プリンタ部７０との間で情報のやり取りを仲介するインターフェイスであり、制御部１１０で生成されたプリントデータを本体部１０からプリンタ部７０へ送信する。
【００４２】
ストロボユニット２０は、制御部１１０からの発光指示の制御信号に従って、撮影室内の各部に設置されたストロボ２０ａの発光タイミングや発光量を制御するものであり、ストロボ２０ａはストロボユニット２０の制御に応じて発光を行なう。
【００４３】
デジタルカメラ３０は、シャッター、光学レンズ、ＣＣＤ（Charge  Coupled  Device）等の撮像素子、Ａ／Ｄ変換部等から構成され、光学レンズを介して入力される被写体像を撮像素子により光電変換して画像信号を生成する。そして、Ａ／Ｄ変換部によりアナログ画像信号からデジタル画像データを得て、当該デジタル画像データを本体部１０に出力する。なお、デジタルカメラ３０に代えて動画を記録可能なデジタルビデオカメラを適用することとしても良い。
【００４４】
表示部４０は、ＬＣＤ（Liquid  Crystal  Display）等を備えて構成され、制御部１１０の指示に従って操作画面を表示したり、撮影画像のプレ表示を行なう。
【００４５】
コインメック５０は、硬貨や紙幣の入金口、釣銭返金口等を備えた金銭登録機であり、入金口から入金された金額と規定の撮影料金とから釣銭金額を算出し、釣銭金額に応じた硬貨又は紙幣を釣銭返却口に排出する。
【００４６】
スピーカ５５は、入力される音データに基づいてガイドアナウンス音声等を出力する。
【００４７】
操作部６０は、表示部４０と一体的に構成されるタッチパネル、撮影室の内壁に設けられた選択ボタン、撮影ボタンといった各種機能ボタン等のハードキーを備えて構成され、押下されたボタンに対応する操作信号を制御部１１０に出力する。
【００４８】
プリンタ部７０は、制御部１１０から入力されるプリントデータに基づいてプリント出力を行なう。プリンタ部７０のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶解転写記録方式を適用することとしてもよいし、電子写真方式、インクジェット方式やその他のプリント方式であっても良い。また、銀塩写真像を形成するものであっても良い。
【００４９】
通信部８０は、ネットワークインターフェイスカード、モデム等の通信用インターフェイスから構成され、特に図示しない通信ネットワーク上の外部機器と相互に情報の送受信を行なう。例えば、他の写真撮影装置やプリンタに画像データを転送してプリント出力させたりする。
【００５０】
また、通信部８０は、予め顧客の少なくとも年齢を含む身元に関する情報がサーバなどの外部機器に格納されている場合に、顧客を識別する情報を当該外部機器に送信する。そして、外部機器が顧客を識別する情報に基づいて認証を行なった後に返信するその顧客の身元に関する情報を受信する。
【００５１】
カード読取部９０は、特に図示しないＩＤメディアである身分証などの盤面に印字されている文字や、その身分証に付帯されたＩＣ／磁気などの記録媒体に記憶されている電子データを読み取るための装置である。
【００５２】
入室センサＳは、顧客Ｍが撮影室Ｒに入室したことを検知するものであり、顧客Ｍの入室を検知するとその検知信号を制御部１１０に入力する。入室センサＳとしては、発光器と受光器とからなる光学式センサ等が適用可能である。
【００５３】
次に、写真撮影装置１の制御部１１０が行なう本実施の形態の動作を図４、図５を参照して説明する。図４は、制御部１１０により実行される撮影プリント処理を説明するフローチャートであり、図５（ａ）は、１０歳（以下）パスポート写真処理を説明するフローチャートであり、図５（ｂ）は、通常パスポート写真処理を説明するフローチャートである。
【００５４】
先ず、制御部１１０は、図４に示すように、入室センサＳからの検出信号に基づいて撮影室における顧客の有無を検出し（ステップＳ１１）、顧客が撮影室に入室するまでは待機する。
【００５５】
撮影室への顧客の入室を検出すると（ステップＳ１１：ＹＥＳ）、パスポート用、履歴書用、又はアミューズメントなど、どのような種類の写真を何枚プリントするかを問い合わせる画面を表示部４０に表示して操作部６０からの操作指示による写真種の選択が受け付けられ（ステップＳ１２）、その選択された写真種や枚数などに応じた料金の精算が行なわれる（ステップＳ１３）。
【００５６】
ステップＳ１３において料金の精算が確認された後、パスポート用の写真撮影でないと判定された場合は（ステップＳ１４：ＮＯ）、前述した通常の写真処理が行なわれて（ステップＳ１５）、終了する。
【００５７】
パスポート用の写真撮影であると判定された場合は（ステップＳ１４：ＹＥＳ）、年齢を選択する画面が表示部４０に表示されて操作部６０から年齢の入力が受け付けられ（ステップＳ１６）、１０歳以下であると判定された場合（ステップＳ１７：ＹＥＳ）は後述のステップＳ１８１〜Ｓ１８９による１０歳パスポート写真処理（ステップＳ１８）が行なわれ、本体部１０歳以上であると判定された場合（ステップＳ１７：ＮＯ）は後述のステップＳ１９１〜Ｓ１９９による通常パスポート処理が行なわれて（ステップＳ１９）、終了する。
【００５８】
なお、ステップＳ１６における年齢の入力は、操作部６０だけでなく、撮像画像や操作部６０から入力に基づく顧客を識別する情報を通信部８０から外部機器へ送信して得られる身元に関する情報から行なう構成や、カード読取部９０からＩＤメディアである身分証に記録された情報から行なう構成であってもよい。
【００５９】
ここで、顧客の検出（ステップＳ１１）からステップＳ１８又はＳ１９に至るまでに表示部４０で表示される画面の推移を図８を参照して説明する。図８は、前述の処理により表示部４０の表示が画面Ｇ１１から画面Ｇ１４へ推移する様子を例示した図である。
【００６０】
図８に示すように、顧客の検出により、表示部４０には、パスポート用証明写真、それ以外の証明写真、又はアミューズメント用の合成や切り抜き写真であるおもしろ写真・星占い写真などが選択可能である画面Ｇ１１が表示され、操作部６０により選択された写真種（この場合はパスポート用証明写真）に応じた終了時間の案内である画面Ｇ１２が表示される。
【００６１】
料金精算の後、表示部４０には、パスポート用の年齢を確認する画面Ｇ１３が表示され、１０歳以下の場合は処理に時間が必要である旨の警告である画面Ｇ１４が表示される。なお、画面Ｇ１４における警告表示は、画面Ｇ１３において、より処理に時間のかかる選択肢が選択された場合に表示される構成であり、１１歳以上の場合の方が処理に時間のかかる場合はその選択肢が選ばれた時に表示される構成でもよい。
【００６２】
次に、１０歳パスポート処理（ステップＳ１８）について、詳細に説明する。
図５（ａ）に示すように、制御部１１０は、ＲＯＭ１３０に格納された証明写真のプリント規格に関するデータから写真種がパスポートで１０歳以下の条件に関するデータを読み込み（ステップＳ１８１）、操作部６０による指示などによる所定のタイミングで顧客の顔を含む画像の撮影を行ない（ステップＳ１８２）、前述の通常の写真処理と同様に撮影された画像から顧客の顔を検出し（ステップＳ１８３）、その検出された顧客の顔を中心として禁則に該当しないトリミング位置に調節する（ステップＳ１８４）。
【００６３】
撮像画像に対するトリミング位置の調節の後、顔領域の割合が上限／下限となる画像、つまり、図３に示した長さＤＤの全長Ｂに対する割合や写真Ｐの面積に対して長さＣＣと長さＤＤによる面積の割合が規定の上限／下限である画像が２例表示され（ステップＳ１８５）、証明写真における顔の大きさに関する選択入力が行なわれる（ステップＳ１８６）。
【００６４】
顔の大きさに関する選択入力の後、顔の目位置の割合が上限／下限となる画像、つまり、図３に示した長さＢＢの全長Ｂに対する割合が規定の上限／下限である画像が２例表示され（ステップＳ１８７）、証明写真における顔の位置に関する選択入力が行なわれ（ステップＳ１８８）、プリンタ部７０で選択された画像に基づいた印刷が行なわれて（ステップＳ１８９）、終了する。
【００６５】
なお、ステップＳ１８５〜Ｓ１８８における顔の大きさや位置の選択は、位置の次に大
きさを選択する構成や、目の位置だけでなく、頭頂や顎位置、又は左右方向の位置を微調整しても良く、特に上記構成に限定しない。
【００６６】
制御部１１０が行なう通常パスポート写真処理（ステップＳ１９）については、図５（ｂ）に示すように、ステップＳ１９１においてＲＯＭ１３０に格納された証明写真のプリント規格に関するデータから写真種がパスポートで１１歳以上の条件に関するデータを読み込む構成以外は、上述の１０歳パスポート写真処理と同様であるので、説明を省略する。
【００６７】
ここで、１０歳パスポート写真処理（ステップＳ１８）、又は通常パスポート写真処理（ステップＳ１９）において表示部４０に表示される画像の例を図１０、図１１（ａ）を参照して説明する。図１０（ａ）は、画像領域に対する顔領域の割合が上限／下限である画像を表示する画面を例示する図であり、図１０（ｂ）は、画像の垂直位置における顔の目位置の割合が上限／下限である画像を表示する画面を例示する図であり、図１１（ａ）は、１０歳以下の場合の２例表示を例示する図である。
【００６８】
図１０、図１１（ａ）に示すように、表示部４０に表示される画面Ｇ３１、Ｇ３２、Ｇ４は、証明写真におけるプリント規格の上限／下限である２例の画像をボタンＢ１、Ｂ２により選択可能に表示する。また、ボタンＢ３によりその選択を確定して次の処理に進む指示や、ボタンＢ４により一つ前の処理に戻る指示が入力可能な構成である。
【００６９】
画像領域に対する顔領域の割合が上限／下限である画像は、図１０（ａ）の画面Ｇ３１に示すように、例えば、画像の縦の長さに対して顔の頭頂部分から顎部分までの割合が７０％以上、８０％以下で規定されている場合（図３においては、０．７Ｂ≦ＤＤ≦０．８Ｂ）には上限である写真Ｐ１及び下限である写真Ｐ２である。
【００７０】
画像の垂直位置における顔の目位置の割合が上限／下限である画像は、図１０（ｂ）の画面Ｇ３２に示すように、例えば、画像の垂直位置における目位置の高さの割合が５０％以上、７０％以下で規定されている場合（図３においては、０．５Ｂ≦ＢＢ≦０．７Ｂ）には上限である写真Ｐ３及び下限である写真Ｐ４である。
【００７１】
１０歳以下で表示される画像は、上述した図１０と同様な画像を表示しても良いが、図１１（ａ）の画面Ｇ４に示すように、通常と比較した相違点である画像の垂直位置における目位置の高さの割合が４０％以上の写真Ｐ５と画像の縦の長さに対して顔の頭頂部分から顎部分までの割合が５０％以上の写真Ｐ６とであってもよい。この場合は、ステップＳ１８１において１０歳以下の条件に関するデータと１１歳以上の条件に関するデータとを読み込み、その差分に基づいて２例表示する構成である。
【００７２】
以上のように、写真撮影装置１は、プリンタ部７０からプリント出力を行なう際に、操作部６０から写真の用途に関する入力を受け付け、予めＲＯＭ１３０に格納された例えばパスポートなどの用途毎のプリント規格に基づいた調整を行なう。また、写真撮影装置１は、プリント出力を行なう際に、操作部６０から顧客の年齢に関する入力を受け付け、予めＲＯＭ１３０に格納された年齢毎のプリント規格に基づいた調整を行なう。更に写真撮影装置１は、調整された画像をプリント選択可能に複数表示する。
【００７３】
このため、顧客は、用途や年齢に応じた好適な写真を得ることができる。さらに、顧客は、入力した顧客の用途や年齢に適合する複数の写真から所望の写真を選択して得ることができる。
【００７４】
＜変形例１＞
次に、写真撮影装置１が行なう撮影プリント処理の変形例１を図６を参照して説明する。図６は、制御部１１０により実行される撮影プリント処理の変形例１を説明するフローチャートである。
【００７５】
図６に示すように、顧客の顔の撮影（ステップＳ２４）は、年齢の選択の前に行なう構成であっても良い。この場合は、前述した図４、図５における写真撮影をステップＳ２４で行ない、他の構成は前述の説明と同一である。また、写真種の選択（ステップＳ２２）の前に撮影指示により撮影する構成であっても良く、つまりは用途や年齢入力の前後のどちらで行なっても良く、特に限定するものではない。
【００７６】
ここで、変形例１の撮影プリント処理において、写真種の選択（ステップＳ２１）から１０歳パスポート写真処理に至るまでに表示部４０で表示される画面の推移を図９を参照して説明する。図９は、前述の処理により、表示部４０の表示が画面Ｇ２１から画面Ｇ２４へ移行する様子を例示した図である。
【００７７】
図９に示すように、表示部４０には、写真種の選択時などに画面Ｇ２１が表示され、ステップＳ２５において写真の用途がパスポート用であると判定された場合に画面Ｇ２２が警告表示される。そして年齢の入力時などに画面Ｇ２３が表示され、ステップＳ２８において１０歳以下が選択されたと判定された場合に画面Ｇ２４が警告表示される。
【００７８】
＜変形例２＞
次に、写真撮影装置１が行なう撮影プリント処理の変形例２を図７を参照して説明する。図７は、制御部１１０により実行される撮影プリント処理の変形例２を説明するフローチャートである。
【００７９】
図７に示すように、制御部１１０は、前述した撮影室内における顧客の検出、写真種の選択、料金精算、顧客の顔の撮影、及びその顔位置の検出をステップＳ４１〜Ｓ４５で行なう。
【００８０】
ステップＳ４５の後、通常のプリント規格である１１歳以上の条件に関するデータが読み込まれ（ステップＳ４６）、撮影された画像をその読み込まれたデータによる許容範囲の上限／下限でトリミングした場合に頭頂部分や顎部分がトリミングの範囲からはみ出ないなど、禁則に関する条件を満たすか否かが判定され（ステップＳ４７）、満たす場合は通常のプリントする画像の選択表示及び印刷処理が行なわれて（ステップＳ４８）、終了する。なお、ステップＳ４８における処理は、前述の通常パスポート写真処理におけるステップＳ１９４〜Ｓ１９９の処理であるので説明は省略する。
【００８１】
禁則に関する条件を満たさないと判定された場合（ステップＳ４７：ＮＯ）、つまり、顧客の顔が１０歳以下に特有の形状であるため成人（１１歳以上の）のプリント規格ではトリミング範囲に収まらない場合は、１０歳以下の条件に関するデータが読み込まれ（ステップＳ４９）、ステップＳ４７と同様に１０歳以下の条件においてトリミングした場合に禁則に関する条件を満たすか否かが判定され（ステップＳ５０）、満たす場合は前述の１０歳パスポート写真処理におけるステップＳ１８４〜Ｓ１８９の処理である、１０歳以下のプリントする画像の選択表示及び印刷処理が行なわれて（ステップＳ５１）、終了する。また、満たさない場合は（ステップＳ５０：ＮＯ）、ステップＳ５０による返金及び再精算が行なわれて（ステップＳ５２）、終了する。
【００８２】
ここで、ステップＳ５１において表示部４０に表示される画像の例を図１１（ｂ）を参照して説明する。図１１（ｂ）は、１１歳以上の条件による画像の一例と１０歳以下の条件による画像の一例とを表示する画面を例示する図である。
【００８３】
図１１（ｂ）に示すように、表示部４０に表示される画面Ｇ５は、写真Ｐ７をボタンＢ１１又はボタンＢ１２、写真Ｐ８をボタンＢ２１で選択可能に表示し、ボタンＢ３やボタンＢ４の他にステップＳ５２の処理に移行するボタンＢ５を表示する。なお、写真Ｐ７は１１歳以上の条件を満たす画像であり、写真Ｐ８は１０歳以下の条件を満たす画像である。
【００８４】
写真撮影装置１は、この画面Ｇ５のように、異なるプリント条件を満たす画像を複数表示する構成であっても良い。この場合は、同図に示すように、顧客の年齢がプリント条件であることをガイダンス表示することが好ましい。
変形例２に示したように、顧客は、例えば画面Ｇ５を参照することで、プリント規格に適合した画像から所望の画像を選択することができる。
【００８５】
なお、本実施の形態における記述は、本発明の一例を示すものであり、これに限定しない。本実施の形態における写真撮影装置１の細部構成及び細部動作に関しては、本発明の趣旨を逸脱しない範囲で適宜変更が可能である。
【００８６】
例えば、ＲＯＭ１３０に格納されるデータは、ＤＶＤ１５０や通信部８０と通信可能な外部機器に格納される構成であっても良い。また、画像の出力先は、プリンタ部７０だけでなく、ＤＶＤ１５０や通信部８０からの送信による外部機器であっても良い。また、調整後の画像の表示は、プリント規格に対して上限／下限の２例表示だけでなく、そのプリント規格を満たす他の調整画像の表示や、さらに多くの画像を例示する構成であっても良い。
【００８７】
また、本実施の形態では、写真の用途をパスポートで説明したが、特に限定するものではなく、他の証明写真やアミューズメント写真であって良い。
また、通信装置を備えた写真撮影装置であれば、写真をハードコピーにするのみならず、画像ファイルを伝送することで、パスポートの電子申請ができるようにしてもよい。この場合は、暗号化を行なうセキュリティ手段を有することが望ましい。また、写真生成条件を通信手段によりアップデートできることが望ましい。
【図面の簡単な説明】
【００８８】
【図１】本発明である写真撮影装置１の構成の概略を示す図である。
【図２】写真撮影装置１の内部構成を模式的に示す図である。
【図３】予め格納される証明写真の規格に関して例示する図である。
【図４】写真撮影装置１で実行される撮影プリント処理を説明するフローチャートである。
【図５】（ａ）は、１０歳パスポート写真処理を説明するフローチャートであり、（ｂ）は、通常パスポート写真処理を説明するフローチャートである。
【図６】撮影プリント処理の変形例１を説明するフローチャートである。
【図７】撮影プリント処理の変形例２を説明するフローチャートである。
【図８】撮影プリント処理において表示部４０に表示される画面を例示する図である。
【図９】撮影プリント処理の変形例１において表示部４０に表示される画面を例示する図である。
【図１０】（ａ）は、画像領域に対する顔領域の割合が上限／下限である画像を表示する画面を例示する図であり、（ｂ）は、画像の垂直位置における顔の目位置の割合が上限／下限である画像を表示する画面を例示する図である。
【図１１】（ａ）は、１０歳以下の条件の画像を２例表示する画面を例示する図であり、（ｂ）は、１１歳以上の条件による画像と１０歳以下の条件による画像とを表示する画面を例示する図である。
【符号の説明】
【００８９】
１  写真撮影装置
１０  本体部
１１０  制御部（画像調整手段、判定手段）
１２０  Ｉ／Ｏユニット
１３０  ＲＯＭ（記憶手段）
１４０  ＲＡＭ
１５０  ＤＶＤ
１６０  Ｉ／Ｆ
２０  ストロボユニット
２０ａ  ストロボ
３０  デジタルカメラ（撮影手段）
４０  表示部（表示手段）
５０  コインメック（再精算手段）
５５  スピーカ
６０  操作部（入力手段、年齢入力手段、選択手段）
７０  プリンタ部
７１  取出口
８０  通信部（通信手段）
９０  カード読取部（読み取り手段）
Ｃ  椅子
Ｂ１〜５、１１、１２、２１  ボタン
Ｇ１１〜３２、４、５  画面
Ｍ  顧客
Ｐ  写真
Ｐ１〜Ｐ８  写真
Ｒ  撮影室
Ｓ  入室センサ
【図１】
2006301199.tif 000003
【図２】
2006301199.tif 000004
【図３】
2006301199.tif 000005
【図４】
2006301199.tif 000006
【図５】
2006301199.tif 000007
【図６】
2006301199.tif 000008
【図７】
2006301199.tif 000009
【図８】
2006301199.tif 000010
【図９】
2006301199.tif 000011
【図１０】
2006301199.tif 000012
【図１１】
2006301199.tif 000013